(57)【要約】    【課題】  加飾体の周縁部より内側を木目込みする場合においても、加飾体を容易に木目込むことができると共に加飾体を成形体に確実に貼着することができる加飾体貼着木目込み方法及びその装置を提供する。    【解決手段】  加飾体と該加飾体の周縁部より内側に木目込み溝が形成された成形体の少なくとも一方に接着剤を塗布する工程と、木目込み刃が貫通し、且つ、昇降可能にされた下型に前記加飾体を保持させる工程と、該下型に対向して配設され、且つ、昇降可能にされた上型に前記成形体を保持させる工程と、該上型を下降させて前記木目込み刃により前記成形体の木目込み溝に前記加飾体の一部を押し込んで木目込む工程と、該木目込み終了後、前記下型を上昇させて前記加飾体を前記成形体に押圧し、該成形体に加飾体を貼着する工程と、を有する。【選択図】    図１
2006272807.tif 000002
【特許請求の範囲】
【請求項１】
加飾体の周縁部より内側を木目込みする加飾体貼着木目込み方法であって、前記加飾体と該加飾体の周縁部より内側に木目込み溝が形成された成形体の少なくとも一方に接着剤を塗布する工程と、木目込み刃が貫通し、且つ、昇降可能にされた下型に前記加飾体を保持させる工程と、該下型に対向して配設され、且つ、昇降可能にされた上型に前記成形体を保持させる工程と、該上型を下降させて前記木目込み刃により前記成形体の木目込み溝に前記加飾体の一部を押し込んで木目込む工程と、該木目込み終了後、前記下型を上昇させて前記加飾体を前記成形体に押圧し、該成形体に加飾体を貼着する工程と、を有することを特徴とする加飾体貼着木目込み方法。
【請求項２】
前記成形体に加飾体を貼着した後、前記木目込み刃を静止させた状態で所望距離だけ前記上型と下型を一体的に上昇させ、その後、前記上型だけを上昇させて前記加飾体が貼着された成形体を該上型とともに上昇させることを特徴とする請求項１記載の加飾体貼着木目込み方法。
【請求項３】
加飾体の周縁部より内側を木目込みする加飾体貼着木目込み装置であって、架台に装着された昇降手段と、該昇降手段に連結されると共に前記加飾体を保持する加飾体保持手段が付属された下型と、該下型に対向して配設されると共に昇降可能にされ、且つ、前記加飾体の周縁部より内側に木目込み溝が形成された成形体を保持する成形体保持手段が付属された上型と、該上型に保持された前記成形体の木目込み溝の下方において前記下型を貫通して配設されると共に前記架台上に固定された木目込み刃と、を具備することを特徴とする加飾体貼着木目込み装置。
【発明の詳細な説明】
【技術分野】
【０００１】
本発明は、加飾体貼着木目込み方法及びその装置に関する。
【背景技術】
【０００２】
従来、自動車ドアトリム等の成形体の表面に加飾体を貼着すると共に加飾体の周縁部を成形体の木目込み溝に木目込みするものは公知にされている（例えば、特許文献１参照）。
【０００３】
【特許文献１】特許第３１８９９６９号公報（第１頁、第１−２図）
【発明の開示】
【発明が解決しようとする課題】
【０００４】
該特許文献１のように加飾体の周縁部を木目込みする場合は比較的木目込みしやすい。しかし、加飾体の周縁部より内側、例えば中央部を木目込みする場合、加飾体が引き伸ばされて木目込み溝に貼着されることが極めて困難であるという問題がある。また、加飾体に大きな引っ張りによる残留応力が生じているために該加飾体が成形体に一度貼着されたにも拘らず、型開きすると直ちに剥がれてしまうという問題もある。
本発明は、上記の問題に鑑みて成されたもので、加飾体の周縁部より内側を木目込みする場合においても、加飾体を容易に木目込むことができると共に加飾体を成形体に確実に貼着することができる加飾体貼着木目込み方法及びその装置を提供することを目的とする。
【課題を解決するための手段】
【０００５】
上記の目的を達成するために本発明における加飾体貼着木目込み方法は、加飾体の周縁部より内側を木目込みする加飾体貼着木目込み方法であって、前記加飾体と該加飾体の周縁部より内側に木目込み溝が形成された成形体の少なくとも一方に接着剤を塗布する工程と、木目込み刃が貫通し、且つ、昇降可能にされた下型に前記加飾体を保持させる工程と、該下型に対向して配設され、且つ、昇降可能にされた上型に前記成形体を保持させる工程と、該上型を下降させて前記木目込み刃により前記成形体の木目込み溝に前記加飾体の一部を押し込んで木目込む工程と、該木目込み終了後、前記下型を上昇させて前記加飾体を前記成形体に押圧し、該成形体に加飾体を貼着する工程と、を有することを特徴とする。
【０００６】
また本発明における加飾体貼着木目込み方法は、前記成形体に加飾体を貼着した後、前記木目込み刃を静止させた状態で所望距離だけ前記上型と下型を一体的に上昇させ、その後、前記上型だけを上昇させて前記加飾体が貼着された成形体を該上型とともに上昇させることを特徴とする。
【０００７】
また上記の目的を達成するために本発明における加飾体貼着木目込み装置は、加飾体の周縁部より内側を木目込みする加飾体貼着木目込み装置であって、架台に装着された昇降手段と、該昇降手段に連結されると共に前記加飾体を保持する加飾体保持手段が付属された下型と、該下型に対向して配設されると共に昇降可能にされ、且つ、前記加飾体の周縁部より内側に木目込み溝が形成された成形体を保持する成形体保持手段が付属された上型と、該上型に保持された前記成形体の木目込み溝の下方において前記下型を貫通して配設されると共に前記架台上に固定された木目込み刃と、を具備することを特徴とする。
【０００８】
なお本発明における加飾体としては、例えば、表皮、不織布、カーペット、布、合成皮革等のシート状材料が挙げられる。
【発明の効果】
【０００９】
本発明は、加飾体の周縁部より内側を木目込みする加飾体貼着木目込み方法であって、前記加飾体と該加飾体の周縁部より内側に木目込み溝が形成された成形体の少なくとも一方に接着剤を塗布する工程と、木目込み刃が貫通し、且つ、昇降可能にされた下型に前記加飾体を保持させる工程と、該下型に対向して配設され、且つ、昇降可能にされた上型に前記成形体を保持させる工程と、該上型を下降させて前記木目込み刃により前記成形体の木目込み溝に前記加飾体の一部を押し込んで木目込む工程と、該木目込み終了後、前記下型を上昇させて前記加飾体を前記成形体に押圧し、該成形体に加飾体を貼着する工程と、を有するようにしたから、加飾体の周縁部より内側を木目込みする場合においても、加飾体を容易に木目込むことができる。また木目込み部分の加飾体にほとんどテンションがかからないため、加飾体の残留応力が抑えられた状態で該加飾体を成形体に確実に貼着することができる等種々の効果がある。
【発明を実施するための最良の形態】
【００１０】
以下、本発明の実施の形態を図面に基づいて詳しく説明する。図１において、架台１の上板１ａ下面には昇降手段としてのシリンダ２、２が装着されており、該シリンダ２、２のピストンロッド先端には下型３が連結されている。なお該下型３には、その周縁外側に、加飾体Ｋ（本実施形態では布のシート状材料）を保持する加飾体保持手段としてのセットピン４、４が複数付属されている。
【００１１】
また前記下型３の上方には、上型５が該下型３に対向して配設されており、該上型５は上定盤６の下面に固定されて図示されない昇降手段により昇降されるようになっている。なお該上型５には、その内部に、成形体Ｓを保持する成形体保持手段としての吸引パッド７、７が複数付属されている。また前記成形体Ｓは前記加飾体Ｋの周縁部より内側に木目込み溝Ｓａが形成されており、該木目込み溝Ｓａは本実施形態では前記加飾体Ｋの中央部に対向する位置にされている。
【００１２】
また前記上型５に保持された前記成形体Ｓの木目込み溝Ｓａの下方には、木目込み刃８が前記下型３に穿設された通し穴３ａを貫通して配設されており、該木目込み刃８は前記架台１における上板１ａ上に固定されている。
【００１３】
このように構成されたものの作動について説明する。まず、加飾体Ｋと成形体Ｓの少なくとも一方に接着剤を塗布する。本実施形態では、加飾体Ｋの上面に接着剤を塗布する。次に、該接着剤が塗布された加飾体Ｋを下型３に保持させる。加飾体Ｋの周縁部にはセットピン４、４に引っ掛けるための図示されない孔が各々穿孔されており、この孔をセットピン４、４に引っ掛けることによって加飾体Ｋが木目込み刃８で僅かにテンションがかけられた状態で下型３に保持される。
【００１４】
次に、成形体Ｓの上面を上型５の下面に当接させ、且つ、吸引パッド７、７に連通接続された図示されない吸引手段を作動させて該上型５に成形体Ｓを保持させる。そして、前記図示されない昇降手段の作動により、該成形体Ｓが保持された上型５を下降させる。この下降は木目込み刃８の先端が加飾体Ｋを介して木目込み溝Ｓａの底に到達するまで行われる。これにより、木目込み刃８で成形体Ｓの木目込み溝Ｓａに加飾体Ｋの一部を押し込んで木目込む（図２参照）。
【００１５】
次に、該木目込み終了後、シリンダ２、２の伸長作動により下型３を上昇させる。これにより、木目込まれた部分を除いた残りの加飾体Ｋを下型３で成形体Ｓに押圧し、該成形体Ｓに加飾体Ｋを貼着する（図３参照）。なお、この時点でシリンダ２、２は伸長作動のストロークエンドまで到達しておらず、該ストロークエンドまで所望距離（本実施形態では２０ｍｍ）の余裕がある。
【００１６】
次に、前記図示されない昇降手段の作動により、上型５を上昇させる。そうすると、上述したシリンダ２、２の伸長作動の余裕ストローク２０ｍｍ分だけ下型３が上型５と一緒に上昇する。これにより上型５と下型３が成形体Ｓ及び加飾体Ｋを挟持した状態で一体的に２０ｍｍ上昇する。なお、この際、木目込み刃８は、上述したように架台１における上板１ａ上に固定されているから、静止した状態である。
【００１７】
そして、上述のように該上型５と下型３が一体的に２０ｍｍ上昇するとシリンダ２、２が伸長作動のストロークエンドまで到達し、下型３の上昇が停止する。その後は前記図示されない昇降手段の作動により上型５だけが上昇し、加飾体Ｋが貼着された成形体Ｓは上型５に保持されたまま該上型５とともに上昇する（図４参照）。
【００１８】
次に、シリンダ２、２の縮引作動により下型３を下降させる。そして、前記図示されない吸引手段の作動を停止させ、前記加飾体Ｋが貼着された成形体Ｓを上型５から取り外す。
【００１９】
なお本発明では上述したように、前記成形体Ｓに加飾体Ｋを貼着した後、前記木目込み刃８を静止させた状態で所望距離だけ前記上型５と下型３を一体的に上昇させ、その後、前記上型５だけを上昇させて前記加飾体Ｋが貼着された成形体Ｓを該上型５とともに上昇させるようにしているから、型開きの際、加飾体Ｋが貼着された成形体Ｓ、即ち、製品の木目込み部分と木目込み刃８が引っ掛かるのを防止し、該木目込み部分と木目込み刃８を容易且つ確実に分離することができる。このため、型開きの際に、該製品がうまく離型できずに下型３に残ってしまったり、該製品の木目込み部分の加飾体が剥がれてしまったりする不具合を無くすことができる。
【図面の簡単な説明】
【００２０】
【図１】本発明の実施形態を示す正面断面図である。
【図２】木目込み溝に加飾体の一部を押し込んで木目込んだ状態を示す図である。
【図３】成形体に加飾体を貼着した状態を示す図である。
【図４】加飾体が貼着された成形体を上型に保持させたまま上昇させた状態を示す図である。
【符号の説明】
【００２１】
１  架台
２  昇降手段
３  下型
４  加飾体保持手段
５  上型
７  成形体保持手段
８  木目込み刃
Ｓ  成形体
Ｓａ  木目込み溝
Ｋ  加飾体
【図１】
2006272807.tif 000003
【図２】
2006272807.tif 000004
【図３】
2006272807.tif 000005
【図４】
2006272807.tif 000006